(57)【要約】  発光器又は受光器の一方又は両方、又は検出可能物体と、発光器又は受光器の一方又は両方に隣接した光学フィルターと、を含むシステムであって、光学フィルターが、少なくとも１つの波長透過選択性層の吸収剤成分を含み、波長透過選択性層が、その上に入射した７０１ｎｍ〜８４９ｎｍの波長の透過を少なくとも部分的に減少させる、システム。
2021501918.tif 000002
【特許請求の範囲】
【請求項１】
発光器又は受光器の一方又は両方と、
前記発光器又は前記受光器の一方又は両方に隣接した光学フィルターと、を備えるシステムであって、前記光学フィルターが、吸収剤成分を含む少なくとも１つの波長透過選択性層を備え、前記波長透過選択性層が、その上に入射した７０１ｎｍ〜８４９ｎｍの波長の透過を少なくとも部分的に減少させる、システム。
【請求項２】
前記波長透過選択性層が、７０１ｎｍ〜８４９ｎｍ以外の波長の透過を少なくとも部分的に可能にする、請求項１に記載のシステム。
【請求項３】
前記波長透過選択性層が、７０１ｎｍ〜８４９の波長の約５０％未満を透過し、７０１ｎｍ〜８４９の波長の約４０％未満を透過し、７０１ｎｍ〜８４９の波長の約３０％未満を透過し、７０１ｎｍ〜８４９の波長の約２０％未満を透過し、又は７０１ｎｍ〜８４９の波長の約１５％未満を透過する、請求項１又は２に記載のシステム。
【請求項４】
前記波長透過選択性層が、３５０ｎｍ〜７０１ｎｍの波長の透過を少なくとも部分的に減少させる、請求項１〜３のいずれか一項に記載のシステム。
【請求項５】
前記波長透過選択性層が、３５０ｎｍ〜７０１の波長の約５０％未満を透過し、３５０ｎｍ〜７０１の波長の約４０％未満を透過し、３５０ｎｍ〜７０１の波長の約３０％未満を透過し、３５０ｎｍ〜７０１の波長の約２０％未満を透過し、又は３５０ｎｍ〜７０１の波長の約１５％未満を透過する、請求項１〜４のいずれか一項に記載のシステム。
【請求項６】
前記波長透過選択性層が、８５０ｎｍ以上の波長の約５０％超を透過する、請求項１〜５のいずれか一項に記載のシステム。
【請求項７】
前記吸収剤成分が、染料、顔料、又はこれらの組み合わせから選択される、請求項１〜５のいずれか一項に記載のシステム。
【請求項８】
前記染料が、可視的に黒色又は着色されているが、近ＩＲ波長に対して透明である、請求項７に記載のシステム。
【請求項９】
前記染料が金属錯体染料である、請求項８に記載のシステム。
【請求項１０】
前記吸収剤成分が顔料である、請求項７に記載のシステム。
【請求項１１】
前記顔料がナノ粒子顔料である、請求項１０に記載のシステム。
【請求項１２】
前記顔料が、有機顔料、無機顔料、又はこれらの組み合わせである、請求項１０又は１１に記載のシステム。
【請求項１３】
前記発光器又は前記受光器の一方又は両方が近赤外域内の動作波長を有する、請求項１〜１２のいずれか一項に記載のシステム。
【請求項１４】
前記光学フィルターが表面光学微細構造を含む、請求項１〜１３のいずれか一項に記載のシステム。
【請求項１５】
前記発光器が近赤外ＬＥＤ又は近赤外レーザを含む、請求項１〜１４のいずれか一項に記載のシステム。
【請求項１６】
前記受光器が、近赤外カメラ、又は近赤外受光帯域を有する光センサを含む、請求項１〜１５のいずれか一項に記載のシステム。
【請求項１７】
前記光学フィルターが反射層を含む、請求項１〜１６のいずれか一項に記載のシステム。
【請求項１８】
前記光学フィルターがビーズ拡散層を含む、請求項１〜１７のいずれか一項に記載のシステム。
【請求項１９】
前記光学フィルターが、前記受光器を可視波長から少なくとも部分的に遮蔽し、一方で、前記受光器が近赤外波長を受光することを実質的に可能にするように構成されている、請求項１〜１８のいずれか一項に記載のシステム。
【請求項２０】
前記光学フィルターが、前記受光器又は前記発光器の一方又は両方を視覚からカモフラージュするように構成されている、請求項１〜１９のいずれか一項に記載のシステム。
【請求項２１】
前記光学フィルターが、可視波長を吸収することによって前記受光器又は前記発光器の一方又は両方を視覚から少なくとも部分的にカモフラージュするように構成されている、請求項２０に記載のシステム。
【請求項２２】
前記光学フィルターが黒色に見える、請求項１〜２１のいずれか一項に記載のシステム。
【請求項２３】
光学フィルターを備える物品であって、前記光学フィルターが、吸収剤成分を含む少なくとも１つの波長透過選択性層を備え、前記波長透過選択性層が、その上に入射した７０１ｎｍ〜８４９ｎｍの波長の透過を少なくとも部分的に減少させる、物品。
【請求項２４】
前記波長透過選択性層が、７０１ｎｍ〜８４９ｎｍ以外の波長の透過を少なくとも部分的に可能にする、請求項２３に記載の物品。
【請求項２５】
前記波長透過選択性層が、７０１ｎｍ〜８４９の波長の約５０％未満を透過し、７０１ｎｍ〜８４９の波長の約４０％未満を透過し、７０１ｎｍ〜８４９の波長の約３０％未満を透過し、７０１ｎｍ〜８４９の波長の約２０％未満を透過し、又は７０１ｎｍ〜８４９の波長の約１５％未満を透過する、請求項２３又は２４に記載の物品。
【請求項２６】
前記波長透過選択性層が、３５０ｎｍ〜７０１ｎｍの波長の透過を少なくとも部分的に減少させる、請求項２３〜２５のいずれか一項に記載の物品。
【請求項２７】
前記波長透過選択性層が、３５０ｎｍ〜７０１の波長の約５０％未満を透過し、３５０ｎｍ〜７０１の波長の約４０％未満を透過し、３５０ｎｍ〜７０１の波長の約３０％未満を透過し、３５０ｎｍ〜７０１の波長の約２０％未満を透過し、又は３５０ｎｍ〜７０１の波長の約１５％未満を透過する、請求項２３〜２６のいずれか一項に記載の物品。
【請求項２８】
前記波長透過選択性層が、８５０ｎｍ以上の波長の約５０％超を透過する、請求項２３〜２７のいずれか一項に記載の物品。
【請求項２９】
前記吸収剤成分が、染料、顔料、又はこれらの組み合わせから選択される、請求項２３〜２８のいずれか一項に記載の物品。
【請求項３０】
前記染料が、可視的に黒色又は着色されているが、近ＩＲ波長に対して透明である、請求項２９に記載の物品。
【請求項３１】
前記染料が金属錯体染料である、請求項３０に記載の物品。
【請求項３２】
前記吸収剤成分が顔料である、請求項３１に記載の物品。
【請求項３３】
前記顔料がナノ粒子顔料である、請求項３２に記載の物品。
【請求項３４】
前記顔料が、有機顔料、無機顔料、又はこれらの組み合わせである、請求項３２又は３３に記載の物品。
【請求項３５】
前記光学フィルターが表面光学微細構造を含む、請求項２３〜３４のいずれか一項に記載の物品。
【請求項３６】
前記光学フィルターが反射層を含む、請求項２３〜３５のいずれか一項に記載の物品。
【請求項３７】
前記光学フィルターがビーズ拡散層を含む、請求項２３〜３６のいずれか一項に記載の物品。
【請求項３８】
前記光学フィルターが、前記受光器を可視波長から少なくとも部分的に遮蔽し、一方で、前記受光器が近赤外波長を受光することを実質的に可能にするように構成されている、請求項２３〜３７のいずれか一項に記載の物品。
【請求項３９】
前記光学フィルターが、前記受光器又は前記発光器の一方又は両方を視覚からカモフラージュするように構成されている、請求項２３〜３８のいずれか一項に記載の物品。
【請求項４０】
前記光学フィルターが黒色に見える、請求項２３〜３９のいずれか一項に記載の物品。
【請求項４１】
前記接着剤が、スクリーン印刷可能又はインクジェット印刷可能である、請求項２３〜４０のいずれか一項に記載の物品。
【請求項４２】
光学フィルターを備える物品であって、前記光学フィルターが、吸収剤成分を含む少なくとも１つの波長透過選択性層を備え、前記波長透過選択性層が、その上に入射した７０１ｎｍ〜８４９ｎｍの波長の透過を少なくとも部分的に減少させ、前記光学フィルターが、近赤外（ＮＩＲ）波長を反射する物体に隣接して配置される、物品。
【請求項４３】
検出可能物体と、
前記検出可能物体に隣接した光学フィルターと、を備えるシステムであって、前記光学フィルターが、吸収剤成分を含む少なくとも１つの波長透過選択性層を備え、前記波長透過選択性層が、その上に入射した７０１ｎｍ〜８４９ｎｍの波長の透過を少なくとも部分的に減少させる、システム。
【発明の詳細な説明】
【背景技術】
【０００１】
光学フィルターは、光通信システム、センサ、イメージング、科学及び産業光学機器、並びにディスプレイシステムを含む多種多様の用途において使用されている。光学フィルターは、多くの場合、光を含む入射電磁放射の透過を管理する光学層を含む。光学フィルターは、入射光の一部分を反射又は吸収し、入射光の別の部分を透過させることができる。光学フィルター内の光学層は、波長選択性、光透過率、光学的透明度、光学ヘイズ、屈折率、及び様々な他の特性が異なることがある。
【発明の概要】
【０００２】
波長透過選択性層であって、その上に入射した７０１ｎｍ〜８４９ｎｍの波長の透過を少なくとも部分的に減少させる波長透過選択性層が本明細書に開示され、波長透過選択性層は、吸収剤成分を含む。
【０００３】
発光器又は受光器の一方又は両方と、発光器又は受光器の一方又は両方に隣接した光学フィルターと、を含むシステムが本明細書に開示され、光学フィルターが、吸収剤成分を含む少なくとも１つの波長透過選択性層を含み、波長透過選択性層が、その上に入射した７０１ｎｍ〜８４９ｎｍの波長の透過を少なくとも部分的に減少させる。
【０００４】
光学フィルターを含む物品が本明細書に開示され、光学フィルターは、吸収剤成分を含む少なくとも１つの波長透過選択性層を含み、波長透過選択性層が、その上に入射した７０１ｎｍ〜８４９ｎｍの波長の透過を少なくとも部分的に減少させる。
【０００５】
上記の発明の概要は、本開示の各実施形態を説明することを意図したものではない。本開示の１つ以上の実施形態の詳細は、以下の説明にも記載される。本開示の他の特徴、目的及び利点は、本明細書及び特許請求の範囲から明らかになろう。
【図面の簡単な説明】
【０００６】
本発明は、本発明の様々な実施形態についての下記の詳細な説明を添付の図面と併せて考察することにより、より完全に理解し得る。
【図１Ａ】本明細書にて開示する光学物品に含まれる再帰反射素子の様々なパターンを示す図である。
【図１Ｂ】本明細書にて開示する光学物品に含まれる再帰反射素子の様々なパターンを示す図である。
【図１Ｃ】本明細書にて開示する光学物品に含まれる再帰反射素子の様々なパターンを示す図である。
【図１Ｄ】本明細書にて開示する光学物品に含まれる再帰反射素子の様々なパターンを示す図である。
【図１Ｅ】本明細書にて開示する光学物品に含まれる再帰反射素子の様々なパターンを示す図である。
【図２Ａ】光学フィルターを含む例示的な光学システムの概念的略図である。
【図２Ｂ】光学フィルターを含む例示的な光学システムの概念的略図である。
【図２Ｃ】光学フィルターを含む例示的な光学システムの概念的略図である。
【図２Ｄ】光学フィルターを含む例示的な光学システムの概念的略図である。
【図２Ｅ】光学フィルターを含む例示的な光学システムの概念的略図である。
【図３Ａ】例示的な光学フィルターと、視認可能なパターン及び不可視の近赤外パターンを表示する電子ディスプレイと、を含む例示的なシステムの概念図である。
【図３Ｂ】例示的な光学フィルターと、視認可能なパターン及び不可視の近赤外パターンを表示する電子ディスプレイと、を含む例示的なシステムの概念図である。
【図３Ｃ】例示的な光学フィルターと、視認可能なパターン及び不可視の近赤外パターンを表示する電子ディスプレイと、を含む例示的なシステムの概念図である。
【図３Ｄ】例示的な光学フィルターと、視認可能なパターン及び不可視の近赤外パターンを表示する電子ディスプレイと、を含む例示的なシステムの概念図である。
【図４】例示的な技術のフローチャートである。
【０００７】
本発明の範囲から逸脱することなく、実施形態を用いてもよく、また、構造的変更を行ってもよいことを理解されたい。これらの図は、必ずしも一定の比率の縮尺ではない。図面で使用されている同様の番号は同様の構成要素を示す。しかし、特定の図中のある構成要素を示す数字の使用は、同じ数字を付した別の図中の構成要素を限定することを意図するものではないことが理解されよう。
【発明を実施するための形態】
【０００８】
本開示において、「紫外線」は、約１０ｎｍ〜約４００ｎｍの範囲の波長を指す。本開示において、「可視」は、約４００ｎｍ〜約７００ｎｍの範囲の波長を指し、「近赤外」は約７００ｎｍ〜約２０００ｎｍの範囲の波長、例えば約８００ｎｍ〜約１２００ｎｍの範囲の波長を指す。
【０００９】
周囲電磁放射源は、特定の波長の光、又は特定の光源からの光を受光するように構成された受光器、あるいは特定の波長の光を発光するように構成された発光器と干渉し得る。例えば、可視波長は、例えば、受光器内又は発光器内のノイズを増大させることによって、近赤外波長の受光、感知、又は透過に干渉し得る。電磁放射源はまた、意図せずに看者（例えば、可視域を見ている人間の観察者）に明らかとなり得る。例えば、近赤外波長のみを発光するように構成された発光器によって発光された光は視認可能ではないが、発光を担う装置又は構造体、例えば発光器の筐体が視認可能になり得る。カモフラージュ技術は、所望の近赤外波長の透過の阻止、干渉、又は減少を不必要に生じさせ得るため、発光器のマスキング、隠蔽、又は他のカモフラージュ方法は課題を提示し得る。
【００１０】
本開示の諸例に係る光学フィルターは、ある特定の波長からの不要な光学干渉を防止し、あるいは電磁放射源を視覚からカモフラージュし、一方で、所望の近赤外波長が発光器によって透過されること、又は受光器によって受光されることを少なくとも部分的に可能にし、あるいは一方で、比較的高い透明度による近赤外波長の透過を可能にするために用いられ得る。例えば、近赤外波長を受光又は感知するよう動作する受光器は可視波長から遮蔽され、可視波長によって生じ得る近赤外波長の受光又は感知との干渉を防止することができる。近赤外波長を透過するよう動作する光透過体は、可視波長を散乱させることによって、視覚に対してカモフラージュされ得る。例えば、散乱された可視波長は、近赤外波長の透過を妨げることなく、光透過体の存在を隠蔽することができる。
【００１１】
開示されたシステムは、受光器及び発光器の一方又は両方と、７０１ｎｍ〜８４９ｎｍの波長の透過を少なくとも部分的に減少させることができ、一方で、他の波長の透過を少なくとも部分的に可能にする波長透過選択性層を含む光学フィルターと、を含むことができる。例えば、波長透過選択性層は、入射可視光の大部分を拡散させることができる。
【００１２】
いくつかの実施形態では、７０１ｎｍ〜８４９ｎｍの波長の透過を少なくとも部分的に減少させる層が、７０１ｎｍ〜８４９ｎｍの入射波長の約５０％未満を透過し、いくつかの実施形態では、７０１ｎｍ〜８４９ｎｍの入射波長の約４０％未満を透過し、いくつかの実施形態では、７０１ｎｍ〜８４９ｎｍの入射波長の約３０％未満を透過し、いくつかの実施形態では、７０１ｎｍ〜８４９ｎｍの入射波長の約２０％未満を透過し、又はいくつかの実施形態では、７０１ｎｍ〜８４９ｎｍの入射波長の約１５％未満を透過する。いくつかの実施形態では、７０１ｎｍ〜８４９ｎｍの波長の透過を少なくとも部分的に減少させる層が、４００ｎｍ〜７００ｎｍの波長の少なくとも２０％を阻止し、いくつかの実施形態では４００ｎｍ〜７００ｎｍの波長の少なくとも５０％を阻止し、いくつかの実施形態では、４００ｎｍ〜７００ｎｍの波長の少なくとも８０％を阻止し、いくつかの実施形態では、４００ｎｍ〜７００ｎｍの波長の約１００％を阻止し、阻止された波長は、この層によって吸収又は反射される。
【００１３】
開示された波長透過選択性層は、吸収剤成分を含み得る。波長透過選択性接着層は、最終的な組立品又は物品において、平面状、非平面状、又は両方であり得る。波長選択性層は、二次元表面、三次元表面、又は両表面の組み合わせ上に配置することができる。波長透過選択性層はまた、エンボス加工、延伸、インモールド加工、同種の製造方法、又はこれらの組み合わせを含む技術を使用して、形成後に変更することもできる。
【００１４】
吸収剤成分は、一種類の染料若しくは複数種類の染料、一種類の顔料若しくは複数種類の顔料、又はこれらの組み合わせを含むことができる。有用な吸収剤成分は、７０１ｎｍ〜８４９ｎｍの波長の透過を少なくとも部分的に減少させることができ、一方、他の波長の透過を少なくとも部分的に可能にすることができる任意の染料、顔料、又はこれらの組み合わせを含むことができる。
【００１５】
有用な吸収剤成分としては、溶剤コーティングされた組成物の場合には溶媒に可溶性であるものを含む。有用な吸収剤成分はまた、有意なＮＩＲ散乱を引き起こさないものを含むことができる。
【００１６】
開示された波長透過選択性層における吸収剤成分として有用であり得る例示的な染料及び顔料としては、可視的に黒色又は着色されているように見えるが、ＮＩＲ波長に対して透明であるものを挙げることができる。可視染料及び着色剤は、酸性染料、アゾ系着色物質、カップリング成分、及びジアゾ成分のような１つ以上の部類に含まれる。塩基性染料としては、顕色剤、直接染料、分散染料、蛍光増白剤、食用染料、イングレイン染料、皮革染料、媒染染料、天然染料及び顔料、オキシデーションベース、顔料、反応染料、還元剤、溶剤染料、硫化染料、縮合硫化染料、建染染料が挙げられる。染料はまた、光吸収に主に関与する官能基又は部分に基づいて分類することもできる。染料／顔料の主な部類のいくつかとしては、フタロシアニン、シアニン、遷移金属ジチオリン、スクアリリウム、クロコニウム、キノン、アントラキノン、イミニウム、ピリリウム、チアピリリウム、アズレニウム、アゾ、ペリレン、及びインドアニリンが挙げられる。これらの染料及び顔料の多くは、本質的に有機系／有機金属系又は有機金属である。これらの染料のいくつかは、金属錯体であり得る。金属錯体染料の具体的な群は、商標名ＯＲＡＳＯＬ（登録商標）でＢＡＳＦ  Ｃｏｌｏｒ  ＆  Ｅｆｆｅｃｔｓ  ＵＳＡ  ＬＬＣ（Ｆｌｏｒｈａｍ  Ｐａｒｋ，ＮＪ）から入手可能である。ＯＲＡＳＯＬ（登録商標）金属錯体染料は、強い可視光吸収と共に、比較的高いＮＩＲ透過性を示す。例示的な具体的染料としては、全て黒色に見え、有用な溶剤型接着剤中で比較的高い可溶性を有するＯＲＡＳＯＬ（登録商標）Ｘ４５、Ｘ５１、及びＸ５５金属錯体染料（ＢＡＳＦ  Ｃｏｌｏｒ  ＆  Ｅｆｆｅｃｔｓ  ＵＳＡ  ＬＬＣ（Ｆｌｏｒｈａｍ  Ｐａｒｋ，ＮＪ）から入手可能）、ペリレン系染料の例であるＬｕｍｏｇｅｎ  ＩＲ７８８  ＩＲ染料（ＢＡＳＦ  Ｃｏｌｏｒ  ＆  Ｅｆｆｅｃｔｓ  ＵＳＡ  ＬＬＣ（Ｆｌｏｒｈａｍ  Ｐａｒｋ，ＮＪ）から入手可能）、Ｅｘｃｏｌｏｒ  ＩＲ１０Ａ（Ｎｉｐｐｏｎ  Ｓｈｏｋｕｂａｉ（Ｏｓａｋａ，Ｊａｐａｎ）から入手可能）、及びフタロシアニン染料及び顔料である、バニジルフタロシアニン染料（Ａｆｌａ−Ａｅｓａｒ（Ｔｅｗｋｓｂｅｒｒｙ，ＭＡ）又はＳｉｇｍａ−Ａｌｄｒｉｃｈ（Ｓｔ．Ｌｏｕｉｓ，ＭＯ）のいずれかから入手可能）が挙げられる。低可溶性を示す着色剤は、接着剤又は他の樹脂マトリックス中で顔料粒子として粉砕及び分散させることができる。有機顔料のいくつかは、モノアゾ、酸染料のアゾ縮合不溶性金属塩、及びジアゾ、ナフトール、アリライド、ジアリライド、ピラゾロン、アセトアリライド、ナフトアニリド、フタロシアニン、アントラキノン、ペリレン、フラバントロン、トリフェノジオキサジン（triphendioxazine）、金属錯体、キナクリドン、ポリピロイル（polypryrrole）などの１つ以上に属する。金属クロム酸塩、モリブデン酸塩、チタン酸塩、タングステン酸塩、アルミン酸塩、フェライトなどの混合金属酸化物は、一般的な顔料の一部である。多くは、鉄、マンガン、ニッケル、チタン、バナジウム、アンチモン、コバルト、鉛、カドミウム、クロムなどのような遷移金属を含有する。バナジン酸ビスマスは非カドミウムイエローである。金属カルコゲナイド及びハロゲン化物も顔料として使用することができる。これらの顔料は、低可視及び／又はＮＩＲ散乱が所望される場合に有用であり得る分散ナノ粒子を生成するために粉砕されてもよい。
【００１７】
波長透過選択性層を形成する組成物又は溶液中の吸収剤成分の量は、例えば、層を形成する厚さ、特定の吸収剤成分、他の要因、及びこれらの組み合わせを含む多くの要因に依存し得る。染料を利用するいくつかの実施形態では、波長透過選択性層を形成する組成物は、比較的少量の染料を利用し得るように、比較的厚く（例えば、約２ｍｉｌ（約０．０５１ｍｍ））コーティングされる。いくつかの実施形態では、組成物の総重量に基づいて、０．１重量％以上、０．２重量％以上、又は０．５重量％以上の染料を有する組成物を利用することができる。いくつかの実施形態では、組成物の総重量に基づいて、１０重量％以下、５重量％以上、又は２重量％以上の染料を有する組成物を利用することができる。
【００１８】
顔料はまた、接着剤中に十分に分散されることができ、有意なＮＩＲ散乱を引き起こさない、有意なＮＩＲ吸収を有さない、又はこれらの組み合わせであれば、有用な吸収剤成分であり得る。いくつかの実施形態では、有用な顔料をナノ粒子形態で利用することができる。有機顔料及び無機顔料の両方を利用することができる。いくつかの実施形態では、有用な有機顔料は、市販のインク中で一般的に利用されるいくつかの顔料を含むことができる。利用することができる具体的な例示的な有機顔料としては、例えば、有機キナクリドン顔料である、ＭＩＣＲＯＬＩＴＨ（登録商標）Ｍａｇｅｎｔａ  ４５００Ｊ、有機フタロシアニン顔料である、ＭＩＣＲＯＬＩＴＨ（登録商標）Ｇｒｅｅｎ  ８７５０Ｋ、及び有機フタロシアニン顔料である、ＭＩＣＲＯＬＩＴＨ（登録商標）Ｂｌｕｅ  ７０８０ＫＪＡを挙げることができ、これらはいずれもＢＡＳＦ  Ｃｏｌｏｒ  ＆  Ｅｆｆｅｃｔｓ  ＵＳＡ  ＬＬＣ（Ｆｌｏｒｈａｍ  Ｐａｒｋ，ＮＪ）から入手可能である。利用することができる具体的な例示的な無機顔料としては、例えば、セリアナノ粒子（Ｎｙａｃｏｌ（Ａｓｈｌａｎｄ，ＭＡ）から入手可能）を挙げることができる。
【００１９】
染料もまた、有用な吸収剤成分であってもよい。異なる染料同士は、異なる吸収係数を有するが、一方で、顔料は吸収及び散乱の両方を呈するため、顔料の光学特性は吸光係数によって説明される。顔料の粒径は、その散乱挙動に強い影響を及ぼす。ナノメートルサイズ範囲内の粒径を有する顔料は、比較的有意に低減した散乱を示す。層を形成する組成物又は層自体中の染料又は顔料（又は組み合わせ）の量は、そのような光学特性を用いて決定することができる。所与のコーティング厚さでは、染料又は顔料の充填は、それらの吸収／吸光係数に反比例する。所与の透過率では、顔料／染料の充填又は濃度は、層の厚さ及び吸光／吸収係数に依存する。吸収係数が既知である場合、ランベルトベールの法則を使用して、所与の透過に必要な濃度を計算することができる。この法則は、希釈溶液では良好に機能するが、散乱、蛍光などのために、より高い濃度での制限を有し得る。
【００２０】
いくつかの実施形態では、波長透過選択性層を形成する組成物は、基材上に分配される（例えば、印刷されるなど）ことができる。印刷は、スクリーン印刷、スロットダイコーティング、及び更にはインクジェット印刷などのプロセスを使用して行うことができる。波長透過選択性層は、組成物を基材上に適用又は分配することによって形成することができる。例示的な有用な基材としては、形成される波長透過選択性層の所望の使用に部分的に応じて、様々な種類の基材を挙げることができる。いくつかの実施形態では、有用な基材としては、ポリエチレンテレフタレート（ＰＥＴ）などのポリエステルを挙げることができる。
【００２１】
いくつかの実施形態では、波長透過選択性層は、７０１ｎｍ〜８４９ｎｍの波長の透過を少なくとも部分的に可能にする。いくつかの実施形態では、波長透過選択性層は、７０１ｎｍ〜８４９ｎｍの波長の透過を少なくとも部分的に減少させ、３５０ｎｍ〜７００ｎｍの波長の透過を少なくとも部分的に減少させ、その結果、波長透過選択性層は、３５０ｎｍ〜８４９ｎｍの波長の透過を少なくとも部分的に減少させる。
【００２２】
いくつかの実施形態では、波長透過選択性層は、７０１ｎｍ〜８４９ｎｍの波長の透過を、少なくとも５０％、少なくとも４０％、少なくとも３０％、少なくとも２０％、又は少なくとも１５％だけ減少させる。いくつかの実施形態では、波長透過選択性層は、７０１ｎｍ〜８４９ｎｍの全ての波長を同じ量だけ減少させる必要はなく、減少率は、７０１ｎｍ〜８４９ｎｍの吸収剤成分のない波長透過選択性層を通る光の波長に対する７０１ｎｍ〜８４９ｎｍの波長透過選択性層を通る光の波長として分光計によって測定される。
【００２３】
いくつかの実施形態では、波長透過選択性層は、２つ以上の層で作製され得る、又は２つ以上の層を含み得、例えば、多層フィルム又は多層構造体であり得る。いくつかの例では、多層フィルムは、取り扱い及び適用を容易にするのに有利であり得る。例えば、より硬い弾性層をより軟質のより粘稠な層と組み合わせると、物品をダイカットに変換するのを容易にすることができ、又は、インクステップなどの三次元特徴部に隣接させて軟質でより粘稠な層を配置する場合に、そのような三次元特徴部をより容易に被覆することができる。多層フィルムを有利に利用して、フィルムの光学密度をより簡単に修正することもできる（例えば、層の所与の総厚について、透明層を利用して、その透明層の上方又は下方に配置された別の層の光学密度を減少させることができる）、又はフィルムの可視外観をより簡単に修正することもできる（例えば、１つの層が緑色であってもよく、一方、第２の層が青色であり、両色の複合色の外観が得られる）。
【００２４】
波長透過選択性層はまた、１つ以上の検出可能物体に隣接して使用することができる。検出可能物体は、例えば、ＮＩＲ波長を反射するものとすることができる。いくつかの実施形態では、検出可能物体は、その上に衝突する１つ以上の光の波長に応答して、ＮＩＲ（又は別の方法の）波長を反射する再帰反射体であるものとすることができる。
【００２５】
波長透過選択性層は、光学物品内の任意の構成要素に近接して使用することができる。このような光学物品は、光学フィルターと呼ばれることがある。図１Ａ〜図１Ｅは、光学フィルターを含む例示的な物品の横断面図である。
【００２６】
図１Ａは例示的な物品１０ａの横断面図を示す。物品１０ａは、基材１２と、波長透過選択性層１４とを含む。基材１２は、ガラス、ポリマー、金属、又は任意の他の適切な硬質、半硬質又は軟質の膜（maters）、及びそれらの組み合わせを含み得る。図１Ａの例示的な物品１０ａでは基材１２が層として示されているが、諸例では、基材１２は、平坦な表面、実質的に平坦な表面、又はテクスチャー化表面を有し得る任意の適切な三次元形状を取ることができる。諸例では、基材１２は、デバイス、例えば電子デバイスの筐体、スクリーン、又は表面を含み得る。
【００２７】
波長透過選択性層１４は、７０１ｎｍ〜８４９ｎｍの波長の透過を少なくとも部分的に減少させる。諸例では、波長透過選択性層１４は、７０１ｎｍ〜８４９ｎｍの波長の約５０％未満を透過し得る。波長透過は選択的である。諸例では、波長透過選択性層１４は、７０１ｎｍ〜８４９ｎｍの波長の約５０％未満を透過し、７００ｎｍ未満の波長の約５０％未満を透過し得る。諸例では、波長透過選択性層１４は７００ｎｍ未満の波長の約５０％超を散乱させることができる。例えば、波長透過選択性層１４は、７００ｎｍ未満の入射波長の約５０％超を散乱させることにより、７００ｎｍ未満の入射波長の約５０％未満を透過することができる。
【００２８】
図１Ｂは、例示的な物品１０ｂの横断面図を示す。物品１０ｂは、基材１２と、波長透過選択性層１４と、反射層１６とを含み得る。物品１０ｂにおいては、波長透過選択性層１４と基材１２との間に反射層１６が示されているが、諸例では、物品１０ｂが基材１２を含まなくてもよく、波長透過選択性層が反射層１６上に配置されていてもよい。諸例では、基材１２は、例えば、基材１２の主表面に、又は内部内に、反射層１６を含み得る。諸例では、反射層１６は基材１２の下方に配置されていてもよい。諸例では、反射層１６は基材１２の上方に配置されていてもよい。諸例では、反射層１６は穿孔されていてもよい。諸例では、物品１０ｂは可視光の５０％未満を反射し、近赤外光の５０％超を透過させることができる。諸例では、反射層１６は、例えば選択された波長のみを反射する波長選択性であり得る。反射層１６は、多層光学フィルム、ダイクロイック反射体、干渉フィルム、無機多層積層体、金属誘電体積層体、研磨された基材、ミラー、反射型偏光子、又は反射金属若しくはガラス表面などの反射表面を含み得る。諸例では、物品１０ｂは、反射層と波長透過選択性層１４との間、又は波長透過選択性層１４の上方の、又は物品１０ｂ内の任意の層に隣接して配置される染料層（図示せず）を含み得る。染料層は、近赤外では透過性又は透明であってよく、可視では吸収性であってよく、それにより、反射層１６の可視反射を減少させる、スペクトル選択性染料を含み得る。諸例では、染料層は、少なくとも３０％、５０％、７０％、又は９０％の可視光吸収を有し得る。諸例では、染料層は、可視色を有する一方で、近赤外では透過性のままであるように着色されてもよい。
【００２９】
図１Ｃは、例示的な物品１０ｃの横断面図を示す。物品１０ｃは、基材１２と波長透過選択性層１４とを含み得る。物品１０ｃは、任意選択的に、図１Ｃに示すように、反射層１６、インク受容層１８、印刷パターン層２２、及び保護層２４のうちの１つ以上を含み得る。図１Ｃは物品１０ｃ内の層のための特定の配置を示しているが、それぞれの層は任意の適切な構成に再配置されてもよい。例えば、反射層１６が存在する場合には、基材１２を省略してもよい。保護層２４はシーラント層を含み得る。諸例では、インクパターン層２２は、インク受容層１８上に堆積され得るインク又は顔料の印刷パターンを含む。諸例では、インク受容層は省略されてもよく、インクパターン層２２は波長透過選択性層１４上に堆積されてもよい。諸例では、保護層２４は、インクパターン層２２と波長透過選択性層１４との間に配置されてもよい。諸例では、２つの保護層２４が配置されてもよく、一方はインクパターン層２２の上方に、他方は波長透過選択性層１４に隣接して配置されてもよい。
【００３０】
図１Ｄは、例示的な物品１０ｄの横断面図を示す。物品１０ｄは、基材１２と、波長透過選択性層１４と、第１のシーラント層２６と、第２のシーラント層２８とを含み得る。第１のシーラント層２６及び第２のシーラント層２８の両方のうちの一方はラテックスコーティングを含み得る。それぞれのシーラント層は、例えば、水分又は他の反応物若しくは崩壊剤の侵入を防止又は低減することによって、波長透過選択性層１４の完全性を保護することができる。それぞれのシーラント層は、波長透過選択性層１４に対して構造支持及び物理的安定性をも提供し得る。例えば、第１のシーラント層２６及び第２のシーラント２８の一方又は両方は、波長透過選択性層１４が製造基材から剥離又は除去され、その後、製品基材、例えば基材１２上に移送され、適用されることを可能にし得る。
【００３１】
図１Ｅは、例示的な物品１０ｅの横断面図を示す。物品１０ｅは、基材１２と、基材１２に隣接した波長透過選択性層１４と、波長透過選択性層１４上に堆積されたインクパターン層２４とを含み得る。それぞれのセンサセグメント３２ａ、３２ｂ、３２ｃ、及び３２ｄを含むセンサ層３２が、基材１２に隣接して配置され得る。諸例では、基材１２は省略されてもよく、波長透過選択性層１４はセンサ層３２上に堆積されてもよい。諸例では、波長透過選択性層１４は、それぞれのセンサセグメント３２ａ、３２ｂ、３２ｃ、及び３２ｄと整列され得る、それぞれの選択散乱セグメント１４ａ、１４ｂ、１４ｃ、及び１４ｄを含み得る。選択散乱セグメントのうちの１つ以上は省略されてもよく、そのため、波長透過選択性層１４は、それぞれのセンサセグメントのうちの少なくとも１つと整列され得る少なくとも１つの穿孔を含み得る。したがって、異なる選択散乱セグメントは、近赤外散乱比、可視ヘイズ率、又はそれぞれの選択散乱セグメントと整列したセンサセグメントの性能を向上させることができる他の光学特性を変更することによって調整され得る。図１Ｅの波長散乱層１４及びセンサ層３２内には、４つのセグメントが表示されているが、諸例では、波長散乱層１４及びセンサ層３２は任意の適当な数のセグメントを有し得る。図１Ｅの例では、センサ層３２が記載されているが、諸例では、物品１０ｅは、センサセグメントの代わりに光源３２ａ、３２ｂ、３２ｃ、及び３２ｄを含み得る。
【００３２】
図１Ａ〜図１Ｅは、それぞれの物品１０ａ〜１０ｅを、平坦な層を含むように示しているが、様々な例では、物品１０ａ〜１０ｅは、任意の好適な形状、周囲又は断面を取り得、物品１０ａ〜１０ｅの層は、規則的、不規則、又は複合的な曲率を取り得るか、あるいは異なる領域内では、平坦な、若しくは湾曲した幾何形状を取るか、又はさもなければ、層若しくは物品１０ａ〜１０ｅの真下の基材の輪郭に一致し得る。例えば、物品１０ａ〜１０ｅは半球状又はレンズ状の形状を取り得る。
【００３３】
波長透過選択性接着層を含む光学物品は、例えば光学システムを含む様々なシステムで利用することができる。このような光学フィルターは、光学システムの任意の一部分又は複数の部分に近接して又は隣接して利用することができる。例えば、光学フィルターは、例えば、光源、検出器、検出される物体、又はこれらの任意の組み合わせに近接して利用することができる。検出対象物体に近接して光学物品が使用されるいくつかの実施形態では、反射体が、その光学物品に含まれ得る、又はその光学物品に近接し得る。例示的な反射体としては、鏡面反射体、拡散反射体、半鏡面反射体、再帰反射反射体、又はこれらの任意の組み合わせを挙げることができる。例示的な再帰反射体は、ビーズ再帰反射性物品及びキューブコーナー再帰反射性物品の両方を含み、金属バッキングされているか、又は空気バッキングされているかのいずれかである。いくつかの実施形態では、光学フィルターは、例えば光ファイバ又は中空若しくは中実光ガイドを含む光送達デバイスに近接して配置され、一体形成され、又はその両方とすることができる。
【００３４】
図２Ａ〜図２Ｅは、光学フィルターを含む例示的な光学システムの概念的略図である。図２Ａは、光学フィルター１０及び受光器４０を含む例示的な光学システムの概念的略図である。諸例では、受光器４０は、光センサ、カメラ、ＣＣＤ、又は少なくとも光の所定の波長領域を感知するように構成された任意の他のセンサを含み得る。例えば、受光器４０は近赤外センサを含み得る。諸例では、受光器４０は、光を受光する物体、例えば、太陽電池、又は入射光を少なくとも部分的に吸収する物体、例えば、太陽熱ヒータ、又は光を受光する任意の他の物体を含み得る。光学フィルター１０は、以上において図１Ａ〜図１Ｅを参照して説明されたとおりの、波長透過選択性層を含む例示的な光学フィルターのうちの任意のもの、又は本開示に記載の他の例示的な光学フィルターを含み得る。図２Ａに示すように、光学フィルター１０は受光器４０に隣接して配置されていてもよい。入射近赤外線４２ａは近赤外波長を含んでもよく、光学フィルター１０を通して受光器４０へ実質的に透過され得る。入射可視光線４４ａは可視波長を含んでもよく、光学フィルター１０によって実質的に反射又は散乱され得、これにより、受光器４０は可視光線４４ａから少なくとも部分的に遮蔽され、近赤外線４２ａを少なくとも部分的に受光する。諸例では、受光器は光学フィルター１０によって可視光線４４ａから実質的に又は完全に遮蔽され得、近赤外線４２ａの実質的に全てを受光し得る。
【００３５】
図２Ｂは、光学フィルター１０、受光器４０、発光器４６、及び物体４８を含む例示的な光学システムの概念的略図である。諸例では、発光器４６は、可視波長、近赤外波長、又は紫外波長を含む、光又は電磁放射の任意の好適な波長の発生源を含み得る。諸例では、発光器４６は、電球、白熱光源、小型蛍光灯、ＬＥＤ、ライトガイド、又は任意の自然光源若しくは人工光源を含み得る。諸例では、発光器４６は光を発生しなくてもよく、光源によって発生された光を反射又は透過させるのみでもよい。光学フィルター１０は受光器４０と物体４８との間に配置されていてもよい。発光器は、光学フィルター１０の、受光器４０と同じ側に配置されていてもよい。発光器４６から透過された近赤外線４２ｂは近赤外波長を含んでもよく、光学フィルター１０を通して物体４８へ実質的に透過され得る。光４２ｂは物体４８によって反射され得、反射光は物体４８の光学特性によって変更され得る。反射光線４２は光学フィルター１０を通して受光器４０へ実質的に透過され得る。入射可視光線４４ｂは可視波長を含んでもよく、光学フィルター１０によって実質的に反射又は散乱され得、これにより、受光器４０及び発光器４６の一方又は両方は可視光線４４ａから少なくとも部分的に遮蔽される。諸例では、受光器は光学フィルター１０によって可視光線４４ｂから実質的に又は完全に遮蔽され得、近赤外線４２ｂの実質的に全てを受光し得る。
【００３６】
図２Ｃは、光学フィルター１０、受光器４０、及び物体４８を含む例示的な光学システムの概念的略図である。光学フィルター１０は受光器４０と物体４８との間に配置されていてもよい。入射近赤外線４２ｃは近赤外波長を含んでもよく、物体４８及び光学フィルター１０を通して受光器４０へ実質的に透過され得る。入射可視光線４４ｃは可視波長を含んでもよく、光学フィルター１０によって実質的に反射又は散乱され得、これにより、受光器４０は可視光線４４ｃから少なくとも部分的に遮蔽され、近赤外線４２ｃを少なくとも部分的に受光する。諸例では、受光器４０は光学フィルター１０によって可視光線４４ｃから実質的に又は完全に遮蔽され得、近赤外線４２ｃの実質的に全てを受光し得る。
【００３７】
図２Ｄは、光学フィルター１０及び受光器４０を含む例示的な光学システムの概念的略図である。光学フィルター１０は受光器４０に隣接して配置されていてもよい。入射近赤外線４２ｄは近赤外波長を含んでもよく、光学フィルター１０から受光器４０へ実質的に反射され得る。入射可視光線４４ｄは可視波長を含んでもよく、光学フィルター１０によって実質的に反射又は散乱され得、これにより、受光器４０は可視光線４４ｄを少なくとも部分的に受光し、一方で、近赤外線４２ｄを少なくとも部分的に受光する。
【００３８】
図２Ｅは、光学フィルター１０、受光器４０、及び発光器４６を含む例示的な光学システムの概念的略図である。光学フィルター１０は、発光器４６と受光器４０との間に配置されていてもよい。発光器４６から透過された近赤外線４２ｅは近赤外波長を含んでもよく、光学フィルター１０を通して受光器４０へ実質的に透過され得る。入射可視光線４４ｅは可視波長を含んでもよく、光学フィルター１０によって実質的に反射又は散乱され得、そのため、発光器４６は可視光線４４ｅから少なくとも部分的に遮蔽される。諸例では、発光器４６は、光学フィルター１０によって可視光線４４ｅから実質的に又は完全に遮蔽され得る。図２Ｅの例示的な光学システムにおいては、受光器４０が記載されているが、諸例では、図２Ｅの例示的な光学システムは受光器４０を含まなくてもよい。例えば、例示的な光学システムは発光器４６及び光学フィルター１０を含み得、光学フィルター１０は、発光器４６を、視覚によって見えないように隠蔽し得る。
【００３９】
諸例では、光学フィルター１０は、少なくとも１つの取り外し可能又は再配置可能な層を含み得るか、あるいは光学フィルター１０は全体として取り外し又は再配置可能であり、そのため、光学フィルター１０は、光学フィルター１０の下の、又はそれに隣接した基材に対して取り外し又は再配置可能である。諸例では、光学フィルター１０の周囲は、発光器４６又は受光器４０の一方又は両方の周囲を越えて延びていてもよく、あるいは光学フィルター１０の主表面の面積は、発光器４６又は受光器４０の一方又は両方の表面積よりも大きいか小さくてもよい。諸例では、光学フィルター１０は、電子機器、回路、基板、センサ、送信機などの他の構成要素を、光学フィルターによってこれらの構成要素を視覚から遮蔽することによって、カモフラージュするように構成され得る。諸例では、２つ以上の発光器４６又は受光器４０、例えばアレイを、光学フィルター１０に隣接して配置することができるであろう。諸例では、発光器４６又は受光器４０の一方又は両方は、光学フィルター１０から、例えば、少なくとも１ｃｍ、又は１０ｃｍ、又は１ｍ、又は１０ｍ、又は１００ｍ、又は１ｋｍ、相対的に離れているか、あるいはなお更に離れていてもよい。図２Ａ〜図２Ｅでは、例えば、発光器４６及び受光器４０の一方又は両方と光学フィルター１０との間の、光の直接経路が示されているが、諸例では、発光器４６及び受光器４０の一方又は両方と光学フィルター１０との間の光は、光学的に導かれた経路、反射経路、又は屈折若しくはフィルタリングを含む光学的操作を含む経路、又は異なる光学媒体を通って進む経路を含む、非直接的経路をたどり得る。
【００４０】
このように、諸例では、光学フィルター１０は、受光器４０を可視波長から少なくとも部分的に遮蔽し、一方で、受光器４０が近赤外波長を受光することを実質的に可能にするように構成され得る。諸例では、光学フィルター１０は、例えば可視波長を散乱させることによって、受光器４０又は発光器４６の一方又は両方を視覚からカモフラージュするように構成され得る。
【００４１】
図３Ａ〜図３Ｄは、例示的な光学フィルターと、視認可能なパターン及び不可視の近赤外パターンを表示する電子ディスプレイとを含む例示的なシステムの概念図である。電荷結合素子（charge-coupled device、ＣＣＤ）などの撮像センサは近赤外領域内で検出するため、可視的に反射可能なグラフィックを含む標示を生成することが可能であろう。標示は、カメラによって検出可能である不可視画像を隠蔽することができるであろう。例えば、画像は、例えば、バーコード、２Ｄバーコード、又はＱＲコード(登録商標）などの、信号又は情報を符号化する所定のパターンを含むことができるであろう。ＱＲコード(登録商標）の物理的サイズは、それらが包含し得る情報量を制限することがある。しかし、不可視ＱＲコード(登録商標）は、可視グラフィックを乱したり、又は損なったりすることなく、標示と同じ物理的大きさを有することができるであろう。一例では、電子ディスプレイ６０は、ディスプレイ６０の背後に隠蔽されたそれぞれの可視及び近赤外発光器によって放射された可視及び近赤外光パターンを同時に表示する能力を有し得る。電子ディスプレイ６０は、上記において図１Ａ〜図１Ｅを参照して説明された例示的な光学フィルターで被覆されていてもよい。例えば、電子ディスプレイ６０は、図３Ｂに示すように、視認可能であるパターン６２と不可視の近赤外パターン６４とを同時に表示し得る。パターン６２は、相対的により小さいＱＲコード(登録商標）、又は相対的により小さい表示フットプリントを有する他のインダイシア（indicia）を含み得、パターン６４は、相対的により大きいＱＲコード(登録商標）、又は相対的により大きなフットプリントを有する他のインダイシアを含み得る。パターン６２は、光学フィルター（図示されていない）による可視波長の反射又は散乱の結果、視認可能になり得る。図３Ａにおいて見られるように、パターン６２のみが視認可能であり、パターン６４は、近赤外波長において比較的高い透明度で提示されている一方で、視覚に対して不可視のままであり得る。それゆえ、近赤外波長を感知する能力を有するカメラは、十分な解像度で、例えば、パターン６４内に包含され得る情報を復号するのに十分な解像度で、パターン６４を感知することができる。図３Ｃに示す例では、所定のパターンのみがディスプレイ６０上で視認可能であり、一方で、図３Ｄに示すように、近赤外カメラによってのみ検出可能な不可視の近赤外パターンがディスプレイ６０上に同時に表示され得る。それゆえ、３Ａ、３Ｂ、３Ｃ、及び３Ｄのそれぞれの例示的なシステムでは、例示的な光学フィルターを用いて、所定の可視パターンのみを見せつつ、近赤外パターンの発生源を隠蔽又はカモフラージュすることができる。一部の例では、不可視の近赤外パターン６４を用いて秘匿情報を符号化することができ、一方で、視認可能なパターン６２を用いて、視認可能な情報、又は少なくとも、符号化可能であるが符号化しても視認可能な情報を提示することができる。例えば、パターン６２は、ウェブサイトなどの、情報の第１のセットを符号化することができ、一方で、パターン６４は、ディスプレイ６０の位置などの、情報の第２のセットを符号化することができる。諸例では、電子ディスプレイ６０は、可視パターン、不可視パターン、又はその両方を表示し得る。諸例では、電子ディスプレイ６０は複数のパターンを表示し得る。諸例では、電子ディスプレイは、静的パターン又は動的パターンを表示し得る。それゆえ、例示的な光学フィルターは、高透明度の近赤外透過を有するカモフラージュをもたらし得る。
【００４２】
図４は例示的な技術のフローチャートである。例示的な技術は、発光器４６又は受光器４０の一方又は両方に隣接して光学フィルター１０を配置すること（５２）を含み得る。光学フィルター１０は、以上において図１Ａ〜図１Ｅ及び図２Ａ〜図２Ｅを参照して説明されたとおりの、波長透過選択性層を含む。例示的な技術は任意選択的に、光学フィルター１０と発光器４６又は受光器４０の一方又は両方との間に反射層１６を配置すること（５４）を更に含み得る。光学フィルター１０は任意選択的に、発光器４６又は受光器４０の一方又は両方をカモフラージュし得る（５６）。光学フィルター１０は任意選択的に、発光器又は受光器の一方又は両方を可視波長から少なくとも部分的に遮蔽し得る（５８）。
【００４３】
このように、本開示による例示的なシステム、物品、及び技術は、例えば可視波長を選択的に散乱、吸収、又は反射させることによって可視波長の透過を減少させながら近赤外光を比較的高い透明度で透過させる例示的な波長透過選択性層を含む例示的な光学物品を含み得る。
【００４４】
本明細書で使用される全ての科学用語及び技術用語は、別途明記しない限り、当該技術分野で通常使用される意味を有する。本明細書で与えられる定義は、本明細書で頻繁に用いる特定の用語の理解を助けるためのものであり、本開示の範囲の限定を意図するものではない。
【００４５】
本明細書及び添付の特許請求の範囲で使用する場合、単数形「ａ」、「ａｎ」、及び「ｔｈｅ」は、内容が別途明示しない限り、複数の指示対象を有する実施形態を包含する。
【００４６】
本明細書及び添付の特許請求の範囲で使用する場合、用語「又は」は、内容が別途明示しない限り、「及び／又は」を含む意味で通常用いられる。用語「及び／又は」は、列挙された要素のうちの１つ若しくは全て、又は列挙された要素のうちの任意の２つ以上の組み合わせを意味する。
【００４７】
本明細書で用いる場合、「有する（have）」、「有する（having）」、「含む（include）」、「含む（including）」、「含む（comprise）」、「含む（comprising）」などは、オープンエンドの意味で用いられ、通常、「含むが、これらに限定されない」という意味である。「から本質的になる（consisting essentially of）」、「からなる（consisting of）」などは、「含む（comprising）」などに包含されることが理解されるであろう。例えば、銀「を含む」組成物は、銀「からなる」組成物であってもよく、又は銀「から本質的になる」組成物であってもよい。
【００４８】
本明細書で使用される場合、「から本質的になる」は、ある組成物、装置、システム、及び方法などに関する場合、その組成物、装置、システム、及び方法などの構成成分が、列挙された構成成分と、その組成物、装置、システム、及び方法などの基本的特性及び新規の特性に対して実質的に影響を及ぼさない任意の他の構成成分とに限定されることを意味する。
【００４９】
「好ましい」及び「好ましくは」という単語は、ある特定の状況においてある特定の利益を供し得る実施形態を指す。ただし、他の実施形態もまた、同じ又は他の状況において好ましい場合がある。更には、１つ以上の好ましい実施形態の記載は、他の実施形態が有用ではないことを示唆するものではなく、特許請求の範囲を含む本開示の範囲から他の実施形態を排除することを意図するものではない。
【００５０】
また、本明細書において、端点による数値範囲の列挙は、その範囲内に包含される全ての数を含む（例えば、１〜５は、１、１．５、２、２．７５、３、３．８０、４、５などを含み、又は１０以下は、１０、９．４、７．６、５、４．３、２．９、１．６２、０．３などを含む）。値の範囲が特定の値「まで」である場合、その値は、その範囲内に含まれる。
【００５１】
上の記載及び以下の特許請求の範囲における「第１の」、「第２の」などの使用は、必ずしも、列挙された数の物体が存在するのを示すことを意図するものではない。例えば、「第２の」基材は、単に、別の基材（例えば「第１の」基材など）から区別することを意図するものでしかない。また、上の記載及び以下の特許請求の範囲における「第１の」、「第２の」などの使用は、必ずしも、一方が他方よりも時間的に早く現れるのを示すことを意図するものではない。
【００５２】
本開示に係る例示的な物品及び技法を、以下の非限定的な実施例によって例示する。
【００５３】
【表１】
2021501918.tif 000003
【００５４】
試験方法
全可視及び拡散可視（４００〜７００ｎｍ）並びにＮＩＲ（８００〜１０００ｎｍ）透過は、分光計（Ｈｕｎｔｅｒｌａｂ  Ｕｌｔｒａｓｃａｎ  Ｐｒｏ）を使用して５ｎｍ間隔で測定された。実施例１〜７について、３６５ｎｍ、４７５ｎｍ、５２５ｎｍ、６５０ｎｍ、７００ｎｍ、７５０ｎｍ、８００ｎｍ、８５０ｎｍ、８７５ｎｍ、９００ｎｍ、９４０ｎｍ、及び９７５ｎｍにおける透過率（％Ｔ）を、以下の表２に報告する。
【００５５】
コーティング溶液
コーティング溶液１：９ｇｍのＮａｚｄａｒ  ＮＳＣ６１を７グラムのＴｈｉｎｎｅｒ／ｓｃｒｅｅｎ  ｗａｓｈ  ＲＥ１９５  Ｎａｚｄａｒで希釈して、希釈スクリーンインク又はコーティング溶液１を作製した。
【００５６】
コーティング溶液２：２１０グラムのＰａｒａｌｏｉｄ  Ｂ６６を、密閉したガラス瓶内で６０℃で２１０グラムのＭＥＫ中に溶解した。７５ｇｍのＯｒａｓｏｌ  Ｂｌａｃｋ  Ｘ５５を３００グラムのＭＥＫ中に溶解した。Ｏｒａｓｏｌ  Ｂｌａｃｋ  Ｘ５５溶液を、ＭＥＫ中のＰａｒａｌｏｉｄ  Ｂ６６溶液（上記のように作製）に添加して、コーティング溶液２を調製した。
【００５７】
コーティング溶液３：トルエン中に溶解した１ｇｍの１０重量％のＩＲ  ７８８を２ｇｍのコーティング溶液２に添加して、コーティング溶液３を作製した。
【００５８】
実施例１
コーティング溶液１を、＃２０メイヤーロッドを用いて着色ＰＥＴ（ＹＳ−７）フィルム上にコーティングした。コーティングされた試料をオーブン内で７０℃で５分間乾燥させた後、１日間空気乾燥させた。
【００５９】
実施例２
コーティング溶液１を、＃２０メイヤーロッドを用いて着色ＰＥＴフィルム（ＹＳ−３５）上にコーティングした。コーティングされた試料をオーブン内で７０℃で５分間乾燥させた後、１日間空気乾燥させた。
【００６０】
実施例３
コーティング溶液１を、＃２０メイヤーロッドを用いて着色ＰＥＴフィルム（ＣＰ−２０）上にコーティングした。コーティングされた試料をオーブン内で７０℃で５分間乾燥させた後、１日間空気乾燥させた。
【００６１】
実施例４〜６
コーティング溶液２を、コータでＹＳ−７フィルム（幅５インチ）に、コーティング幅４インチで３つの異なるコーティング重量１２ｃｃ／分、８ｃｃ／分、及び４ｃｃ／分でコーティングした。コーティングされたウェブを、華氏１００度、華氏１１０度、及び華氏１４０度の一連のオーブンで乾燥させた。実施例４、５、及び６のコーティングされたフィルムの光学密度は、それぞれ５．４、４．５、及び３．４と測定された。
【００６２】
実施例７
コーティング溶液３を、＃２０メイヤーロッドを用いて着色ＰＥＴフィルム（ＹＳ−７）上にコーティングした。コーティングされた試料をオーブン内で７０℃で５分間乾燥させた後、１日間空気乾燥させた。
【００６３】
実施例１〜６のコーティングされたフィルムの全透過及び拡散透過を、Ｈｕｎｔｅｒｌａｂ  Ｕｌｔｒａｓｃａｎ  Ｐｒｏ分光計を使用して測定した。９４０ｎｍでの全透過に対する拡散透過の比率により、９４０ｎｍでのＩＲ散乱比を計算した。図５は、コーティングされた試料の全透過スペクトルを示す。表２は、９４０ｎｍでの正透過（specular transmission）及び９４０ｎｍでのＩＲ散乱比（パーセント）を示す。測定値は、フィルムが、高い可視光遮断、高いＮＩＲ透過（これは調節可能である）を呈することを示しており、９４０ｎｍでの拡散透過／全透過のＮＩＲ散乱比が１％未満であることから明らかなように、９４０ｎｍでは非常に低い拡散ＮＩＲ散乱となる。
【００６４】
【表２】
2021501918.tif 000004
【００６５】
このように、光学物品及びそれを含むシステムの実施形態が開示されている。上記の実施及び他の実施が、以下の請求項の範囲内にある。当業者であれば、本開示は開示されている実施形態以外の実施形態で実践できることを理解するであろう。開示された実施形態は例示目的で提示されており、限定を目的とするものではない。
【図１Ａ】
2021501918.tif 000005
【図１Ｂ】
2021501918.tif 000006
【図１Ｃ】
2021501918.tif 000007
【図１Ｄ】
2021501918.tif 000008
【図１Ｅ】
2021501918.tif 000009
【図２Ａ】
2021501918.tif 000010
【図２Ｂ】
2021501918.tif 000011
【図２Ｃ】
2021501918.tif 000012
【図２Ｄ】
2021501918.tif 000013
【図２Ｅ】
2021501918.tif 000014
【図３Ａ】
2021501918.tif 000015
【図３Ｂ】
2021501918.tif 000016
【図３Ｃ】
2021501918.tif 000017
【図３Ｄ】
2021501918.tif 000018
【図４】
2021501918.tif 000019
【国際調査報告】
2021501918.tif 000020
2021501918.tif 000021